(57)【要約】      （修正有）【課題】安全かつ簡易に測定作業ができる鉄道信号用電源極性試験器を提供する。【解決手段】鉄道信号用電源極性試験器は、交流高圧配電線から変成された常用低圧電源に接続され、常用低圧電源を降圧する常用側トランス部１６と、交流高圧配電線から変成された予備用低圧電源に接続され、予備用低圧電源を降圧する予備用側トランス部１７と、常用側トランス部により降圧された電圧と予備用側トランス部により降圧された電圧とを合計する合計回路部１５ａと、合計値が所望の電圧値以上か否かを表示する表示回路部とよりなる極性試験回路部１５と、で構成される。【選択図】図１
0003214302.tif 000002
【実用新案登録請求の範囲】
【請求項１】
交流高圧配電線から変成された常用低圧電源に接続され、該常用低圧電源を降圧する常用側トランス部と、
交流高圧配電線から変成された予備用低圧電源に接続され、該予備用低圧電源を降圧する予備用側トランス部と、
上記常用側トランス部により降圧された電圧と上記予備用側トランス部により降圧された電圧とを合計する合計回路部と、該合計値が所望の電圧値以上か否かを表示する表示回路部とよりなる極性試験回路部とよりなることを特徴とする鉄道信号用電源極性試験器。
【請求項２】
上記常用側トランス部及び上記予備用側トランス部は、絶縁トランスであることを特徴とする請求項１記載の鉄道信号用電源極性試験器。
【請求項３】
上記常用低圧電源と上記常用側トランス部間に、常時開の開閉スイッチ部を設けると共に、
上記予備用低圧電源と上記予備用トランス部間に、常時開の開閉スイッチ部を設けたことを特徴とする請求項１または２記載の鉄道信号用電源極性試験器。
【請求項４】
上記常用低圧電源と上記常用側トランス部間が通電した時に点灯する点灯部を、上記常用低圧電源と上記常用側トランス部間に設けると共に、
上記予備用低圧電源と上記予備用側トランス部間が通電した時に点灯する点灯部を、上記予備用低圧電源と上記予備側トランス部間に設けたことを特徴とする請求項３に記載の鉄道信号用電源極性試験器。
【請求項５】
上記極性試験回路部は、上記予備用側トランス部の他方の端子部（Ｒ相）と上記常用側トランス部の一方の端子部（Ｓ相）とを接続すると共に、
上記予備用側トランス部の一方の端子部（Ｓ相）と上記常用側端子部の他方の端子部（Ｒ相）とを、所望の電圧以上の電圧がかかった場合に電流を流すツェナーダイオード及び該電流が流れた時に発光する発光ダイオードを介して接続したことを特徴とする請求項１、２、３または４記載の鉄道信号用電源極性試験器。
【請求項６】
上記予備用側トランス部の一方の端子部（Ｓ相）と上記常用側端子部の他方の端子部（Ｒ相）とを、電圧計を介して接続したことを特徴とする請求項５記載の鉄道信号用電源極性試験器。
【請求項７】
上記極性試験回路部は、上記予備用側トランス部の他方の端子部（Ｒ相）と上記常用側トランス部の他方の端子部（Ｒ相）とを接続すると共に、
上記予備用側トランス部の一方の端子部（Ｓ相）と上記常用側端子部の一方の端子部（Ｓ相）とを、所望の電圧以上の電圧がかかった場合に電流を流すツェナーダイオード及び該電流が流れた時に発光する発光ダイオードを介して接続したことを特徴とする請求項１、２、３または４記載の鉄道信号用電源極性試験器。
【請求項８】
上記予備用側トランス部の一方の端子部（Ｓ相）と上記常用側端子部の一方の端子部（Ｓ相）とを、電圧計を介して接続したことを特徴とする請求項７記載の鉄道信号用電源極性試験器。
【請求項９】
上記極性試験回路部は、上記予備用側トランス部の他方の端子部（Ｒ相）と上記常用側トランス部の一方の端子部（Ｓ相）とを接続すると共に、
上記予備用側トランス部の一方の端子部（Ｓ相）と上記常用側端子部の他方の端子部（Ｒ相）とを、電圧計を介して接続したことを特徴とする請求項１、２、３または４記載の鉄道信号用電源極性試験器。
【請求項１０】
上記極性試験回路部は、上記予備用側トランス部の他方の端子部（Ｒ相）と上記常用側トランス部の他方の端子部（Ｒ相）とを接続すると共に、
上記予備用側トランス部の一方の端子部（Ｓ相）と上記常用側端子部の一方の端子部（Ｓ相）とを、電圧計を介して接続したことを特徴とする請求項１、２、３または４記載の鉄道信号用電源極性試験器。
【考案の詳細な説明】
【技術分野】
【０００１】
本考案は、鉄道信号用電源極性試験器、特に、鉄道信号における常用電源と予備用電源との極性の相違の有無を試験する簡易試験器に関するものである。
【背景技術】
【０００２】
鉄道信号用の電源は、保守や停電等のために、常用電源と予備用電源との２つの電源配線が設けられ、保守や停電等をする場合には、電源切替器により、常用電源から予備用電源に切り替えられる。
【０００３】
なお、常用と予備用とは、説明上区別しているが、上記２つの電源配線のうち、いずれか一方が常用で、他方が予備用であり、２つの電源配線のうち、どちらが常用であるかどうかについて特定されるものではなく、説明中の「常用」と「予備用」の言葉を、それぞれ、「予備用」、「常用」の言葉に置き換えても、同じ効果となる。
【０００４】
上記常用電源と上記予備用電源の電源供給部としては、例えば、信号高圧２回線方式と、信号高圧１回線方式がある。
【０００５】
図４は、上記信号高圧２回線方式の電源供給部を示し、該信号高圧２回線方式においては、変電所２から、常用交流高圧配電線１（１号）と予備用交流高圧配電線３（２号）との２回線で電気が送電され、上記常用交流高圧配電線１に接続された常用側高圧引下線９から常用電源が得られ、また、上記予備用交流高圧配電線３に接続された予備用側高圧引下線１１から予備用電源が得られるようになる。
【０００６】
また、図５は、上記信号高圧１回線方式の電源供給部を示し、該信号高圧１回線方式においては、変電所２から、交流高圧配電線３３の１回線で電気が送電され、そして、該交流高圧配電線３３には、常用側高圧引下線９と予備用高圧引下線１１とがそれぞれ接続され、上記常用側高圧引下線９から常用電源が得られ、また、上記予備用側高圧引下線１１から予備用電源が得られるようになる。
【０００７】
なお、４は、保守又は故障などで上記変電所２から送電できなくなった場合に、上記変電所２の代わりに、上記交流高圧配電線１、３、３３に電気を送電する変電所を示し、該変電所４から電気が送電される場合にも、上記交流高圧配電線１、３、３３に接続された上記常用側高圧引下線９から常用電源が得られ、また、上記予備用側高圧引下線１１から予備用電源が得られるようになる。
【０００８】
また、３５、３６は、上記交流高圧配電線１、３、３３にそれぞれ設けられた遮断器を示し、該遮断器３５、３６により、上記交流高圧配電線１、３、３３に送電する変電所２、４の切替がなされるようになる。
【０００９】
また、３７は、上記交流高圧配電線３３に設けられた、高圧気中開閉器を示し、該高圧気中開閉器３７は、上記常用側高圧引下線９と上記予備用高圧引下線１１との間に設けられ、必要に応じて、上記常用側高圧引下線９と上記予備用高圧引下線１１との間が接続・非接続されるようになる。
【００１０】
また、図４及び図５に示すように、５は、上記常用側高圧引下線９からの常用電源を高圧から低圧に変成する常用側変圧器を示し、６は、上記予備用側高圧引下線１１からの予備用電源を高圧から低圧に変成する予備用側変圧器を示し、７は、変成された上記常用電源と上記予備用電源とをいずれか一方に切り替えるための電源切替器を示し、８は、鉄道信号装置を示し、上記電源切替器７により、上記常用電源と上記予備用電源とが切り替えられて、いずれか一方が上記鉄道信号装置８に接続されるようになる。
【００１１】
なお、上記常用側変圧器５の一次側（入力側）は、常用側高圧引下線９に接続され、二次側（出力側）は、常用側低圧引下線１０を介して、上記電源切替器７に接続され、また、上記予備用側変圧器６の一次側（入力側）は、予備用側高圧引下線１１に接続され、二次側（出力側）は、予備用側低圧引下線１２を介して、上記電源切替器７に接続される。
【００１２】
そして、上記常用側電源と予備用側電源の極性が異なる（位相差が一定範囲内にない）と信号機の不正現示をする恐れがあるため、両者の極性が同じ（位相差が一定範囲内のものを含む。以下、同じ。）である必要があるが、変圧器や引下線の取り換えなどの工事などを行った場合、誤って配線される可能性があるため、工事などの後には、必ず上記常用側低圧引下線１０からの常用電源と上記予備用側低圧引下線１２からの予備用電源とが同じ極性であるか否かを試験する必要がある。
【００１３】
その極性の試験方法の一例として、上記信号高圧２回線方式では、図６に示すように、また、上記信号高圧１回線方式では、図７に示すように、上記予備用側低圧引下線１２の他方の端子部（Ｒ相）１２ｂと、上記常用側低圧引下線１０の一方の端子部（Ｓ相）１０ａとを接続し、そして、上記予備用側低圧引下線１２の一方の端子部（Ｓ相）１２ａと上記常用側引下線１０の他方の端子部（Ｒ相）１０ｂ間の電圧を測定する。そして、常用側電源と予備用側電源の極性が同じであれば、上記予備用側低圧引下線１２の他方の端子部（Ｒ相）１２ｂと上記常用側低圧引下線１０の一方の端子部（Ｓ相）１０ａを接続した共通線により常用側電源と予備用側電源の定格電圧（１１０Ｖ）の和である２２０Ｖからの一定範囲内の電圧が測定されて、配線に間違いがないと判断され、一方、常用側電源と予備用側電源の極性が異なれば、常用側電源と予備用側電源の差である０Ｖ近辺が測定され、配線が間違えられていると判断していた。
【先行技術文献】
【特許文献】
【００１４】
【特許文献１】実開平５−５９３４２号公報
【考案の概要】
【考案が解決しようとする課題】
【００１５】
しかしながら、試験を行う際の扱う電圧は２００Ｖ以上と高く、作業員にとって、危険作業となっていた。また、電圧の測定のために、電圧計の端子を、引下げ線に接続する際に、ミスにより配線を短絡させてしまうおそれがあった。そして、その短絡の可能性は、作業者に心理的な影響を与え、測定作業は、作業者にとって負担のある作業であった。
【００１６】
本考案は、安全、かつ、簡易に作業できる、試験器を提供することを目的とする。
【課題を解決するための手段】
【００１７】
本考案の鉄道信号用電源極性試験器は、交流高圧配電線から変成された常用低圧電源に接続され、該常用低圧電源を降圧する常用側トランス部と、交流高圧配電線から変成された予備用低圧電源に接続され、該予備用低圧電源を降圧する予備用側トランス部と、上記常用側トランス部により降圧された電圧と上記予備用側トランス部により降圧された電圧とを合計する合計回路部と、該合計値が所望の電圧値以上か否かを表示する表示回路部とよりなる極性試験回路部とよりなることを特徴とする。
【００１８】
また、上記常用側トランス部及び上記予備用側トランス部は、絶縁トランスであることを特徴とする。
【００１９】
また、上記常用低圧電源と上記常用側トランス部間に、常時開の開閉スイッチ部を設けると共に、上記予備用低圧電源と上記予備用トランス部間に、常時開の開閉スイッチ部を設けたことを特徴とする。
【００２０】
また、上記常用低圧電源と上記常用側トランス部間が通電した時に点灯する点灯部を、上記常用低圧電源と上記常用側トランス部間に設けると共に、上記予備用低圧電源と上記予備用側トランス部間が通電した時に点灯する点灯部を、上記予備用低圧電源と上記予備側トランス部間に設けたことを特徴とする。
【００２１】
また、上記極性試験回路部は、上記予備用側トランス部の他方の端子部（Ｒ相）と上記常用側トランス部の一方の端子部（Ｓ相）とを接続すると共に、上記予備用側トランス部の一方の端子部（Ｓ相）と上記常用側端子部の他方の端子部（Ｒ相）とを、所望の電圧以上の電圧がかかった場合に電流を流すツェナーダイオード及び該電流が流れた時に発光する発光ダイオードを介して接続したことを特徴とする。
【００２２】
また、上記予備用側トランス部の一方の端子部（Ｓ相）と上記常用側端子部の他方の端子部（Ｒ相）とを、電圧計を介して接続したことを特徴とする
【００２３】
また、上記極性試験回路部は、上記予備用側トランス部の他方の端子部（Ｒ相）と上記常用側トランス部の他方の端子部（Ｒ相）とを接続すると共に、上記予備用側トランス部の一方の端子部（Ｓ相）と上記常用側端子部の一方の端子部（Ｓ相）とを、所望の電圧以上の電圧がかかった場合に電流を流すツェナーダイオード及び該電流が流れた時に発光する発光ダイオードを介して接続したことを特徴とする。
【００２４】
また、上記予備用側トランス部の一方の端子部（Ｓ相）と上記常用側端子部の一方の端子部（Ｓ相）とを、電圧計を介して接続したことを特徴とする。
【００２５】
また、上記極性試験回路部は、上記予備用側トランス部の他方の端子部（Ｒ相）と上記常用側トランス部の一方の端子部（Ｓ相）とを接続すると共に、上記予備用側トランス部の一方の端子部（Ｓ相）と上記常用側端子部の他方の端子部（Ｒ相）とを、電圧計を介して接続したことを特徴とする。
【００２６】
また、上記極性試験回路部は、上記予備用側トランス部の他方の端子部（Ｒ相）と上記常用側トランス部の他方の端子部（Ｒ相）とを接続すると共に、上記予備用側トランス部の一方の端子部（Ｓ相）と上記常用側端子部の一方の端子部（Ｓ相）とを、電圧計を介して接続したことを特徴とする。
【考案の効果】
【００２７】
本考案によれば、簡単な構造で、安全に極性の確認ができるようになる。
【図面の簡単な説明】
【００２８】
【図１】本考案の鉄道信号用電源極性試験器の回路図である。
【図２】本考案の鉄道信号用電源極性試験器の筐体の正面図である。
【図３】本考案の鉄道信号用電源極性試験器の実施例２の回路図である。
【図４】信号高圧２回線方式の電源供給部から鉄道信号装置までの電源系の概略の説明図である。
【図５】信号高圧１回線方式の電源供給部から鉄道信号装置までの電源系の概略の説明図である。
【図６】信号高圧２回線方式の電源供給部における従来の試験装置の説明図である。
【図７】信号高圧１回線方式の電源供給部における従来の試験装置の説明図である。
【考案を実施するための形態】
【００２９】
以下図面によって本考案の実施例を説明する。
【実施例１】
【００３０】
本考案の鉄道信号用電源極性試験器は、図１、図４、図５に示すように、信号高圧２回線方式においては上記常用交流高圧配電線１（１号）からの、又は、信号高圧１回線方式においては交流高圧配電線３３からの常用電源を高圧から低圧に変成する上記常用側変圧器５の二次側に接続された上記常用側低圧引下線１０に接続される常用側入力線１３と、信号高圧２回線方式においては上記予備用交流高圧配電線３（２号）からの、又は、信号高圧１回線方式においては交流高圧配電線３３からの予備用電源を高圧から低圧に変成する上記予備用側変圧器６の二次側に接続された上記予備用側低圧引下線１２に接続される予備用側入力線１４と、極性試験回路部１５と、上記常用側入力線１３に一次側（入力側）で接続されて、上記常用側入力線１３からの電圧を降圧して、上記極性試験回路部１５に二次側（出力側）で接続する常用側絶縁トランス部１６と、上記予備用側入力線１４に一次側（入力側）で接続されて、上記予備用側入力線１４からの電圧を降圧して、上記極性試験回路部１５に二次側（出力側）で接続する予備用側絶縁トランス部１７とよりなる。
【００３１】
また、上記極性試験回路部１５は、例えば、上記常用側絶縁トランス部１６により所望の変圧比で降圧された電圧と、上記予備用側絶縁トランス部１７により所望の変圧比で降圧された電圧とを合計する合計回路部１５ａと、該合計値が所望の電圧値以上か否かを表示する表示回路部１５ｂとよりなる。
【００３２】
また、上記常用側入力線１３には、閉のときに該入力線１３が通電する、常時開の常用側開閉スイッチ部１８が設けられ、また、上記予備用側入力線１４には、閉のときに該入力線１４が通電する、常時開の予備用側開閉スイッチ部１９が設けられる。
【００３３】
また、上記常用側開閉スイッチ部１８及び上記予備用側開閉スイッチ部１９は、例えば、バネ等の付勢手段（図示せず）を有するプッシュボタン部２０により、連動して、開閉するようにし、例えば、上記プッシュボタン部２０を押圧しない状態では通電しない開となり、該プッシュボタン部２０を上記付勢手段に抗して押圧した場合には通電する閉とするようにする。
【００３４】
また、例えば、上記常用側絶縁トランス部１６の一次側（入力側）には、ランプ等の常用側点灯部２１を設け、上記常用側開閉スイッチ部１８が閉の場合には、上記常用側絶縁トランス部１６が通電して、該点灯部２１が、例えば、赤色（ＲＬ）に点灯するようにする。
【００３５】
また、例えば、上記予備用側絶縁トランス部１７の一次側（入力側）には、ランプ等の予備用側点灯部２２を設け、上記予備用側開閉スイッチ部１９が閉の場合には、上記予備用側絶縁トランス部１７が通電して、該点灯部２２が、例えば、緑色（ＧＬ）に点灯するようにする。
【００３６】
なお、上記常用側開閉スイッチ部１８は、上記常用側入力線１３の一方の配線（Ｓ相）１３ａと他方の配線（Ｒ相）１３ｂとの両方に設ける以外に、いずれか一方のみに設けるようにしてもよい。
【００３７】
同様に、上記予備用側開閉スイッチ部１９も、上記予備用側入力線１４の一方の配線（Ｓ相）１４ａと他方の配線（Ｒ相）１４ｂとの両方に設ける以外に、いずれか一方のみに設けるようにしてもよい。
【００３８】
また、上記常用側絶縁トランス部１６の変圧比と上記予備用側絶縁トランス部１７の変圧比は、それぞれ、例えば、１００：８とする。
【００３９】
また、上記極性試験回路部１５の合計回路部１５ａは、例えば、上記予備用側絶縁トランス部１７の二次側の他方の端子部（Ｒ相）１７ｂと、上記常用側絶縁トランス部１６の二次側の一方の端子部（Ｓ相）１６ａとを第１の接続線２３により接続して構成する。
【００４０】
また、上記合計値が所望の値か否かを表示する表示回路部１５ｂは、上記予備用側絶縁トランス部１７の二次側の一方の端子部（Ｓ相）１７ａと、上記常用側絶縁トランス部１６の他方の端子（Ｒ相）１６ｂとを、第２の接続線２４により接続すると共に、該第２の接続線２４に、一方向にのみ電流を流すための整流用のダイオードなどの整流部３４と、上記所望の電圧以上の電圧がかかった時に電流を流す、例えば、９Ｖ以上の場合に電流を流すツェナーダイオード（ＺＤダイオード）などの通電部２５と、該電流が流れ時に点灯する発光ダイオードなどの点灯部２６とをかかる順番で直列に介在して構成する。
【００４１】
なお、常用側の電圧と予備用側の電圧とでは、一定範囲内において位相差があるため、配線（極性）が間違っている場合にも、上記第２の接続線２４には、数ボルトの電流が流れる場合があり、そして、発光ダイオードは、数ボルトでも発光する場合があることから、配線（極性）が間違っている場合でも、発光する場合がある。そのため、ツェナーダイオードを設け、所望の電圧以下では発光ダイオードが反応しないようにし、例えば、所望の電圧以上、例えば、９Ｖ以上の電圧がかかった場合にのみ、電流が流れるようにする。これにより、簡単な回路構成により、配線（極性）の試験を実現することができるようになる。
【００４２】
なお、配線（極性）が正しい場合でも、常用側の電圧と予備用側の電圧との若干の位相差から１７．６Ｖにならない場合もあるため、上記所望の電圧は、例えば、９Ｖなど、１７．６Ｖより低めに設定される。
【００４３】
なお、上記整流部３４や通電部２５は、省略してもよい。
【００４４】
また、上記予備用側絶縁トランス部１７の二次側の一方の端子部（Ｓ相）１７ａと、上記常用側絶縁トランス部１６の他方の端子部（Ｒ相）１６ｂとを、更に、第３の接続線２７で接続し、該第３の接続線２７に電圧計２８を介在するようにしてもよい。
【００４５】
また、上記第３の接続線２７を設けず、また、上記第２の接続線２４に、整流部３４と通電部２５と点灯部２６を設ける代わりに、該第２の接続線２４に電圧計２８を介在させるようにしてもよい。
【００４６】
また、２９は、例えば、上記常用側入力線１３の他方の配線１３ｂに設けた保護ヒューズ、３０は、例えば、上記予備用側入力線１４の他方の配線１４ｂに設けた保護ヒューズ、３１は、上記第１の接続線２３に設けた保護ヒューズを示す。
【００４７】
また、上記鉄道信号用電源極性試験器は、例えば、図２に示すように、筐体３２内に設けられる。
【００４８】
また、上記常用側入力線１３の一方の配線（Ｓ相）１３ａ及び他方の配線（Ｒ相）１３ｂの各先端部は、上記常用交流高圧配電線１（１号）又は上記交流高圧配電線３３から変圧された常用電源が供給される上記常用側低圧引下線１０の端子部（Ｓ相）１０ａと端子部（Ｒ相）１０ｂにそれぞれ接続できるように、該筺体３２内から外に引き出されて設けられる。
【００４９】
また、同様に、上記予備用側入力線１４の一方の配線（Ｓ相）１４ａ及び他方の配線（Ｒ相）１４ｂの各先端部は、上記予備用交流高圧配電線３（２号）又は上記交流高圧配電線３３から変圧された予備用電源が供給される上記予備用低圧引出線１２の一方の端子部（Ｓ相）１２ａ及び他方の端子部（Ｒ相）１２ｂにそれぞれ接続されるように、上記筐体３２内から外に引き出されて設けられている。
【００５０】
また、該筺体３２の表面には、上記点灯部２１、２２と、上記電圧計２８の表示部と、上記プッシュボタン部２０が露出して設けられている。
【００５１】
本考案の鉄道信号用電源極性試験器は、上記のような構成であるから、試験を行うために、上記プッシュボタン部２０を押圧すれば、上記常用側入力線１３と上記予備用入力線１４の開閉スイッチ部１８、１９が閉となり、該常用側入力線１３と予備用側入力線１４にそれぞれ通電し、上記点灯部２１、２２が点灯するようになる。
【００５２】
なお、該点灯により、上記常用側入力線１３と上記予備用入力線１４までの回線の通電状況の確認ができる。
【００５３】
そして、上記常用側入力線１３からの常用電源と、上記予備用入力線１４からの予備用電圧は、それぞれ上記絶縁トランス部１６、１７により、例えば、８／１００に降圧されて、配線（極性）に間違いがない場合には、上記降圧された常用電源と予備用電源の合計電圧は、１７．６Ｖの電圧になるので、上記整流部３４により整流され、９Ｖ以上の電圧なら通電するツェナーダイオードに電流が流れ、上記第２の接続線２４が通電し、上記発光ダイオードが点灯するようになる。
【００５４】
また、上記電圧計２８により電圧が表示されるようになる。
【００５５】
極性が逆に配線されている場合には、上記降圧された常用電源と予備用電源の合計電圧は、０Ｖ近辺となり、上記ツェナーダイオードは通電しないので、上記発光ダイオードは点灯されないようになる。
【００５６】
従って、上記プッシュボタン部２０を操作して、上記点灯部２６が点灯した場合には、配線（極性）に間違いがないことが分かり、点灯しない場合には、誤配線（極性誤り）であると判断できるようになる。
【００５７】
なお、上記発光ダイオードが点灯しない場合には、誤配線（極性誤り）の他、ダイオードや発光ダイオードなどの故障の場合もあるため、例えば、上記発光ダイオードが点灯しない場合には、電圧計で確認して、判断するようにする。
【００５８】
即ち、例えば、発光ダイオードが点灯せず、電圧がある場合には、極性は正しいと判断し、発光ダイオードが点灯せず、電圧がない場合には、極性誤りと判断するようにする。
【００５９】
本考案によれば、簡単な構造で、安全、かつ、簡易に極性の確認ができる。
【００６０】
また、常用電源と予備用電源を合計する際、絶縁トランス部１６、１７により降圧すると共に、該絶縁トランス部により絶縁されているので、低い電圧で確認ができ、安全性が高い。
【００６１】
また、プッシュボタン部２０を押圧した時に、通電させるようにしているので、安全性が高い。
【実施例２】
【００６２】
上記実施例１の極性試験回路部１５において、上記極性試験回路部１５の合計回路部１５ａを、図３に示すように、例えば、上記予備用側絶縁トランス部１７の二次側の他方の端子部（Ｒ相）１７ｂと、上記常用側絶縁トランス部１６の二次側の他方の端子部（Ｒ相）１６ｂとを第１の接続線２３により接続して構成し、また、上記表示回路部１５ｂを、上記予備用側絶縁トランス部１７の二次側の一方の端子部（Ｓ相）１７ａと、上記常用側絶縁トランス部１６の一方の端子（Ｓ相）１６ａとを、上記第２の接続線２４により接続すると共に、該第２の接続線２４に、上記整流部３４と上記通電部２５と上記点灯部２６とを介在するようにしてもよい。なお、３１は、実施離１と同様、上記第１の接続線２３に設けた保護ヒューズを示す。
【００６３】
また、上記実施例１と同様に、上記予備用側絶縁トランス部１７の二次側の一方の端子部（Ｓ相）１７ａと、上記常用側絶縁トランス部１６の一方の端子部（Ｓ相）１６ａとを、上記第３の接続線２７で接続し、該第３の接続線２７に電圧計２８を介在するようにしてもよい。
【００６４】
なお、上記実施例１と同様に、整流部３４や通電部２５を省略してもよく、また、上記第３の接続線２７を設けず、また、上記第２の接続線２４に、整流部３４と通電部２５と点灯部２６を設ける代わりに、該第２の接続線２４に電圧計２８を介在させるようにしてもよい。
【００６５】
上記第２実施例においては、上記降圧された常用電源と予備用電源の合計電圧は、極性に間違いがない場合には、０Ｖ近辺の電圧になるので、上記ツェナーダイオードが通電しないので、上記発光ダイオードは点灯されないようになる。
【００６６】
また、極性が逆に配線されている場合には、上記降圧された常用電源と予備用電源の合計電圧は、約１７．６Ｖの電圧になるので、上記整流部３４により整流され、９Ｖ以上の電圧なら通電するツェナーダイオードに電流が流れ、上記第２の接続線２４が通電し、上記発光ダイオードが点灯するようになる。
【符号の説明】
【００６７】
１      常用交流高圧配電線
２      変電所
３      予備用交流高圧配電線
４      変電所
５      常用側変圧器
６      予備用側変圧器
７      電源切替器
８      鉄道信号装置
９      常用側高圧引下線
１０    常用側低圧引下線
１０ａ  一方の端子部
１０ｂ  他方の端子部
１１    予備用側高圧引下線
１２    予備用側低圧引下線
１２ａ  一方の端子部
１２ｂ  他方の端子部
１３    常用側入力線
１３ａ  一方の配線
１３ｂ  他方の配線
１４    予備用側入力線
１４ａ  一方の配線
１４ｂ  他方の配線
１５    極性試験回路部
１５ａ  合計回路部
１５ｂ  表示回路部
１６    常用側絶縁トランス部
１６ａ  一方の端子部
１６ｂ  他方の端子部
１７    予備用側絶縁トランス部
１７ａ  一方の端子部
１７ｂ  他方の端子部
１８    常用側開閉スイッチ部
１９    予備用側開閉スイッチ部
２０    ボタン部
２１    常用側点灯部
２２    予備用側点灯部
２３    第１の接続線
２４    第２の接続線
２５    通電部
２６    点灯部
２７    第３の接続線
２８    電圧計
２９    保護ヒューズ
３０    保護ヒューズ
３１    保護ヒューズ
３２    筐体
３３    交流高圧配電線
３４    整流部
３５    遮断器
３６    遮断器
３７    高圧気中開閉器
【図１】
0003214302.tif 000003
【図２】
0003214302.tif 000004
【図３】
0003214302.tif 000005
【図４】
0003214302.tif 000006
【図５】
0003214302.tif 000007
【図６】
0003214302.tif 000008
【図７】
0003214302.tif 000009
【手続補正書】
【提出日】平成29年11月1日(2017.11.1)
【手続補正１】
【補正対象書類名】実用新案登録請求の範囲
【補正対象項目名】全文
【補正方法】変更
【補正の内容】
【実用新案登録請求の範囲】
【請求項１】
交流高圧配電線から変成された常用低圧電源に接続され、該常用低圧電源を降圧する常用側トランス部と、
交流高圧配電線から変成された予備用低圧電源に接続され、該予備用低圧電源を降圧する予備用側トランス部と、
上記常用側トランス部により降圧された電圧と上記予備用側トランス部により降圧された電圧とを合計する合計回路部と、該合計値が所望の電圧値以上か否かを表示する表示回路部とよりなる極性試験回路部とよりなることを特徴とする鉄道信号用電源極性試験器。
【請求項２】
上記常用側トランス部及び上記予備用側トランス部は、絶縁トランスであることを特徴とする請求項１記載の鉄道信号用電源極性試験器。
【請求項３】
上記常用低圧電源と上記常用側トランス部間に、常時開の開閉スイッチ部を設けると共に、
上記予備用低圧電源と上記予備用側トランス部間に、常時開の開閉スイッチ部を設けたことを特徴とする請求項１または２記載の鉄道信号用電源極性試験器。
【請求項４】
上記常用低圧電源と上記常用側トランス部間が通電した時に点灯する点灯部を、上記常用低圧電源と上記常用側トランス部間に設けると共に、
上記予備用低圧電源と上記予備用側トランス部間が通電した時に点灯する点灯部を、上記予備用低圧電源と上記予備用側トランス部間に設けたことを特徴とする請求項３に記載の鉄道信号用電源極性試験器。
【請求項５】
上記極性試験回路部は、上記予備用側トランス部の他方の端子部（Ｒ相）と上記常用側トランス部の一方の端子部（Ｓ相）とを接続すると共に、
上記予備用側トランス部の一方の端子部（Ｓ相）と上記常用側トランス部の他方の端子部（Ｒ相）とを、所望の電圧以上の電圧がかかった場合に電流を流すツェナーダイオード及び該電流が流れた時に発光する発光ダイオードを介して接続したことを特徴とする請求項１、２、３または４記載の鉄道信号用電源極性試験器。
【請求項６】
上記予備用側トランス部の一方の端子部（Ｓ相）と上記常用側トランス部の他方の端子部（Ｒ相）とを、電圧計を介して接続したことを特徴とする請求項５記載の鉄道信号用電源極性試験器。
【請求項７】
上記極性試験回路部は、上記予備用側トランス部の他方の端子部（Ｒ相）と上記常用側トランス部の他方の端子部（Ｒ相）とを接続すると共に、
上記予備用側トランス部の一方の端子部（Ｓ相）と上記常用側トランス部の一方の端子部（Ｓ相）とを、所望の電圧以上の電圧がかかった場合に電流を流すツェナーダイオード及び該電流が流れた時に発光する発光ダイオードを介して接続したことを特徴とする請求項１、２、３または４記載の鉄道信号用電源極性試験器。
【請求項８】
上記予備用側トランス部の一方の端子部（Ｓ相）と上記常用側トランス部の一方の端子部（Ｓ相）とを、電圧計を介して接続したことを特徴とする請求項７記載の鉄道信号用電源極性試験器。
【請求項９】
上記極性試験回路部は、上記予備用側トランス部の他方の端子部（Ｒ相）と上記常用側トランス部の一方の端子部（Ｓ相）とを接続すると共に、
上記予備用側トランス部の一方の端子部（Ｓ相）と上記常用側トランス部の他方の端子部（Ｒ相）とを、電圧計を介して接続したことを特徴とする請求項１、２、３または４記載の鉄道信号用電源極性試験器。
【請求項１０】
上記極性試験回路部は、上記予備用側トランス部の他方の端子部（Ｒ相）と上記常用側トランス部の他方の端子部（Ｒ相）とを接続すると共に、
上記予備用側トランス部の一方の端子部（Ｓ相）と上記常用側トランス部の一方の端子部（Ｓ相）とを、電圧計を介して接続したことを特徴とする請求項１、２、３または４記載の鉄道信号用電源極性試験器。
【手続補正２】
【補正対象書類名】明細書
【補正対象項目名】００１９
【補正方法】変更
【補正の内容】
【００１９】
また、上記常用低圧電源と上記常用側トランス部間に、常時開の開閉スイッチ部を設けると共に、上記予備用低圧電源と上記予備用側トランス部間に、常時開の開閉スイッチ部を設けたことを特徴とする。
【手続補正３】
【補正対象書類名】明細書
【補正対象項目名】００２０
【補正方法】変更
【補正の内容】
【００２０】
また、上記常用低圧電源と上記常用側トランス部間が通電した時に点灯する点灯部を、上記常用低圧電源と上記常用側トランス部間に設けると共に、上記予備用低圧電源と上記予備用側トランス部間が通電した時に点灯する点灯部を、上記予備用低圧電源と上記予備用側トランス部間に設けたことを特徴とする。
【手続補正４】
【補正対象書類名】明細書
【補正対象項目名】００２１
【補正方法】変更
【補正の内容】
【００２１】
また、上記極性試験回路部は、上記予備用側トランス部の他方の端子部（Ｒ相）と上記常用側トランス部の一方の端子部（Ｓ相）とを接続すると共に、上記予備用側トランス部の一方の端子部（Ｓ相）と上記常用側トランス部の他方の端子部（Ｒ相）とを、所望の電圧以上の電圧がかかった場合に電流を流すツェナーダイオード及び該電流が流れた時に発光する発光ダイオードを介して接続したことを特徴とする。
【手続補正５】
【補正対象書類名】明細書
【補正対象項目名】００２２
【補正方法】変更
【補正の内容】
【００２２】
また、上記予備用側トランス部の一方の端子部（Ｓ相）と上記常用側トランス部の他方の端子部（Ｒ相）とを、電圧計を介して接続したことを特徴とする。
【手続補正６】
【補正対象書類名】明細書
【補正対象項目名】００２３
【補正方法】変更
【補正の内容】
【００２３】
また、上記極性試験回路部は、上記予備用側トランス部の他方の端子部（Ｒ相）と上記常用側トランス部の他方の端子部（Ｒ相）とを接続すると共に、上記予備用側トランス部の一方の端子部（Ｓ相）と上記常用側トランス部の一方の端子部（Ｓ相）とを、所望の電圧以上の電圧がかかった場合に電流を流すツェナーダイオード及び該電流が流れた時に発光する発光ダイオードを介して接続したことを特徴とする。
【手続補正７】
【補正対象書類名】明細書
【補正対象項目名】００２４
【補正方法】変更
【補正の内容】
【００２４】
また、上記予備用側トランス部の一方の端子部（Ｓ相）と上記常用側トランス部の一方の端子部（Ｓ相）とを、電圧計を介して接続したことを特徴とする。
【手続補正８】
【補正対象書類名】明細書
【補正対象項目名】００２５
【補正方法】変更
【補正の内容】
【００２５】
また、上記極性試験回路部は、上記予備用側トランス部の他方の端子部（Ｒ相）と上記常用側トランス部の一方の端子部（Ｓ相）とを接続すると共に、上記予備用側トランス部の一方の端子部（Ｓ相）と上記常用側トランス部の他方の端子部（Ｒ相）とを、電圧計を介して接続したことを特徴とする。
【手続補正９】
【補正対象書類名】明細書
【補正対象項目名】００２６
【補正方法】変更
【補正の内容】
【００２６】
また、上記極性試験回路部は、上記予備用側トランス部の他方の端子部（Ｒ相）と上記常用側トランス部の他方の端子部（Ｒ相）とを接続すると共に、上記予備用側トランス部の一方の端子部（Ｓ相）と上記常用側トランス部の一方の端子部（Ｓ相）とを、電圧計を介して接続したことを特徴とする。